(57)【要約】  個人情報にアクセスし、個人情報を、広告、ソフトウェアアプリケーション、又は同種のものと共に表示するためのシステムと方法である。本システムと方法は、メモリ装置から固有識別子とポインタを検索することと、検索された固有識別子とポインタに対応して、ポインタ表からリダイレクトポインタを検索することと、検索されたリダイレクトポインタを実行して、ソフトウェアアプリケーションを立ち上げ、第１コンテンツを表示することと、第２コンテンツ及び／又は広告を第１コンテンツと共に表示すること、を含んでいる。【選択図】図１
2010516005.tif 000002
【特許請求の範囲】
【請求項１】
情報にアクセスして表示するための方法において、
メモリ装置から、固有識別子とポインタを受け取る段階と、
前記固有識別子とポインタに対応して、ポインタ表が提示するリダイレクトポインタにアクセスする段階と、
前記リダイレクトポインタを用いて、ソフトウェアアプリケーションを立ち上げ、コンテンツを表示する段階と、
前記固有識別子に対応して、広告データベースから、広告を選択する段階と、
前記広告をコンテンツと共に表示する段階と、から成る方法。
【請求項２】
前記固有識別子を認証する段階を更に含んでいる、請求項１に記載の方法。
【請求項３】
メモリ装置のプリファレンスを記憶する段階と、前記プリファレンスに対応して、前記リダイレクトポインタにアクセスする段階と、を更に含んでいる、請求項１に記載の方法。
【請求項４】
前記メモリ装置を事前に決められたメモリ装置のバッチに割り当てる段階と、１つ又はそれ以上のポインタを前記メモリ装置のバッチに関係付ける段階と、を更に含んでいる、請求項１に記載の方法。
【請求項５】
代わりのポインタを前記メモリ装置に割り当てる段階を更に含んでいる、請求項１に記載の方法。
【請求項６】
前記広告を選択する段階は、前記広告を前記広告データベースからランダムに選択する段階を含んでいる、請求項１に記載の方法。
【請求項７】
前記広告を選択する段階は、前記広告を前記広告データベースから事前に決められた判断基準に従って選択する段階を含んでいる、請求項１に記載の方法。
【請求項８】
前記メモリ装置を、ＰＣ、ＰＤＡ、携帯電話、ｉＰＯＤ（商標）、ゲーム機、又はポケットＰＣ、の何れかに連結する段階を更に含んでいる、請求項１に記載の方法。
【請求項９】
前記メモリ装置は、第１コンテンツに関連性のあるテーマに合わせて構成された外観を有する物体を有しているか又は当該物体に埋め込まれている、請求項１に記載の方法。
【請求項１０】
前記メモリ装置は、１つ又はそれ以上の固有識別子を選択するための１つ又はそれ以上のスイッチを含んでいる、請求項１に記載の方法。
【請求項１１】
前記メモリ措置は、１つ又はそれ以上のポインタを選択するための１つ又はそれ以上のスイッチを含んでいる、請求項１に記載の方法。
【請求項１２】
前記ソフトウェアアプリケーションを立ち上げる段階は、第２アプリケーションを立ち上げる段階、ゲームを立ち上げる段階、ウェブサイトを訪れる段階、又は歌曲を再生する段階、の内の１つ又はそれ以上を含んでいる、請求項１に記載の方法。
【請求項１３】
前記リダイレクトポインタを検索し使用する段階は、
リダイレクトポインタを、ポインタデータベースから選択する段階と、
前記ポインタデータベースから得たポインタ許可を適用する段階と、
ポインタ・ペイロード・プロセスを実行して、ソフトウェアアプリケーションを立ち上げる段階と、を含んでいる、請求項１に記載の方法。
【請求項１４】
バッチ表でバッチＩＤをチェックする段階と、
オーバーライド表で代わりのポインタをチェックする段階と、を更に含んでいる、請求項１３に記載の方法。
【請求項１５】
前記リダイレクトポインタは、ユーザープロファイルに記憶されている、請求項１に記載の方法。
【請求項１６】
前記ユーザープロファイルを編集する段階を更に含んでいる、請求項１５に記載の方法。
【請求項１７】
情報にアクセスして表示するための方法において、
メモリ装置から、固有識別子とポインタを受け取る段階と、
前記固有識別子とポインタに対応して、ポインタ表が提示するリダイレクトポインタにアクセスする段階と、
前記リダイレクトポインタを用いて、ソフトウェアアプリケーションを立ち上げ、第１コンテンツを表示する段階と、
前記固有識別子に対応して、第２コンテンツを前記第１コンテンツと共に表示する段階と、から成る方法。
【請求項１８】
前記メモリ装置のプリファレンスを記憶する段階と、前記プリファレンスに対応して、前記リダイレクトポインタを使用する段階と、を更に含んでいる、請求項１７に記載の方法。
【請求項１９】
前記メモリ装置を事前に決められたメモリ装置のバッチに割り当てる段階と、１つ又はそれ以上のポインタを前記メモリ装置のバッチに関係付ける段階と、を更に含んでいる、請求項１７に記載の方法。
【請求項２０】
代わりのポインタを前記メモリ装置に割り当てる段階を更に含んでいる、請求項１７に記載の方法。
【請求項２１】
前記第２コンテンツは広告である、請求項１７に記載の方法。
【請求項２２】
前記メモリ装置を、ＰＣ、ＰＤＡ、携帯電話、ｉＰＯＤ（商標）、ゲーム機、又はポケットＰＣ、の何れかに連結する段階を更に含んでいる、請求項１７に記載の方法。
【請求項２３】
前記メモリ装置は、前記第１コンテンツに関連性のあるテーマに合わせて構成された外観を有する物体を有しているか又は当該物体に埋め込まれている、請求項１７に記載の方法。
【請求項２４】
前記メモリ装置は、１つ又はそれ以上の固有識別子を選択するための１つ又はそれ以上のスイッチを含んでいる、請求項１７に記載の方法。
【請求項２５】
情報にアクセスして表示するためのシステムにおいて、
メモリ装置から、固有識別子とポインタを検索するための手段と、
前記固有識別子とポインタに対応して、ポインタ表からリダイレクトポインタを検索するための手段と、
前記リダイレクトポインタを実行して、ソフトウェアアプリケーションを立ち上げ、第１コンテンツを表示するための手段と、
前記固有識別子に対応して、第２コンテンツを前記第１コンテンツと共に表示するための手段と、を備えているシステム。
【請求項２６】
前記第２コンテンツは広告である、請求項２５に記載のシステム。
【請求項２７】
前記メモリ装置は、前記第１コンテンツに関連性のあるテーマに合わせて構成された外観を有する物体に埋め込まれている、請求項２５に記載のシステム。
【請求項２８】
前記メモリ装置は、前記メモリ装置を第２メモリ装置に連鎖状に繋ぐため、及び、前記固有識別子を前記第２メモリ装置にアップロードするための、少なくとも２つの接続ポートを含んでいる、請求項２５に記載のシステム。
【発明の詳細な説明】
【技術分野】
【０００１】
本発明は、概括的には、特定のデータにアクセスすることに関し、より具体的には、広告付きの個人オンライン情報にアクセスするためのシステムと方法に関する。
【背景技術】
【０００２】
本出願は、２００７年８月８日出願の米国非仮特許出願第１１／８３６，０７２号「対話型のコンテンツ及び広告にアクセスしそれらを表示するためのシステムと方法（SYSTEM AND METHOD FOR ACCESSING AND DISPLAYING INTERACTIVE CONTENT AND ADVERTISING）」の出願日の恩典を主張し、同非仮特許出願は、２００７年１月１２日出願の米国仮特許出願第６０／８８４，８４５号「広告付きの個人オンライン情報にアクセスするためのシステムと方法（SYSTEM AND METHOD FOR ACCESSING PERSONAL ON-LINE INFORMATION WITH ADVERTISEMENT）」の出願日の恩典を主張しており、同仮特許出願の全内容を参考文献としてここに援用する。
【０００３】
マルチメディア及び他のデータコンテンツは、通常、ＵＳＢスティック、ＣＤ、ＶＣＤ、又はＤＶＤの様な記憶媒体に配給され、従来から、テレビ、モニター、パーソナルコンピュータなどで視聴されている。インターネットは、ユニフォーム・リソース・ロケータ（ＵＲＬ）によってコンテンツの所在を突き止める能力を追加した。通常は、特定の媒体に記憶されているデータ、音声、及び映像は、階層式メニューで編纂されており、選択的にアクセスできるようになっている。但し、ワールド・ワイド・ウェブ（ＷＷＷ）のコンテンツは、しばしば、２か所以上に記憶され、一種類の記憶媒体に記憶される。従って、完全なユーザー体験を提供するためには、ユーザーがコンテンツを提示される前に、先ず、関係のあるコンテンツが識別され、適切なメディアプレーヤー又は記憶装置を用いて選択的にアクセスされるようにせねばならない。
【０００４】
インターネット上の広告は、増大するウェブサイトと会社にとっての収入源である。リッチメディアと静止画像の使用は、インターネット広告（オンライン広告）では特に好まれている。リッチメディア広告は、一般にマクロメディア・フラッシュ（Macromedia Flash）（商標）を用いる広告であり、益々、人気が高まりつつある。リッチメディア広告では、色彩、比喩的描写、ページレイアウト、及び読者の注意をひきつける他の要素が利用されている。リッチメディア広告の例として、「バナー広告」が挙げられる。バナー広告は、通常、ウェブサイト上に表示される標準的な画像である。バナー広告は、数多くのサイズで送られてくるが、矩形の場合が多い。加えて、ストリーミング配信式の映像又はストリームミング配信式の音声は、広告主の間で人気が高まっている。
【０００５】
広告サーバは、通常、広告を記憶し、それらを、ウェブサイトを訪れた人に届ける（提供する）コンピュータサーバである。広告サーバには、通常、局所広告サーバと、第三者又は遠隔広告サーバが含まれる。局所広告サーバは、通常、単一の発行元により実行されており、当該発行元のドメインに広告を提供し、特定の発行元によるカスタマイズ、創作的フォーマット化、及びコンテンツ規制が行えるようにしている。遠隔広告サーバは、通常、幾つかの発行元に所有されている複数のドメインに亘って広告を提供する。遠隔広告サーバは、広告主や発行元が自分達のオンライン広告の配給を追跡することができ、自分達の広告のウェブ上でのローテーションと配給を制御するための集中管理する場所を持てるように、１つの中央ソースから広告を送り出している。
【０００６】
更に、インターネットでのアフィリエートマーケティングは、広告主が、潜在的に多数の小さい発行元に、特定の創造的要素を拾い出せるようにし、又は、市場が販売又は他の収益を生み出すのであれば、その様な市場に前記要素を支払と引き換えに提供できるようにする、インターネット上の広告の一形態である。
【先行技術文献】
【特許文献】
【０００７】
【特許文献１】米国非仮特許出願第１１／８３６，０７２号
【特許文献２】米国仮特許出願第６０／８８４，８４５号
【発明の概要】
【０００８】
幾つかの実施形態では、本発明は、情報にアクセスし表示するためのシステムと方法である。本システムと方法は、メモリ装置から固有識別子とポインタを検索することと、検索された固有識別子とポインタに対応して、ポインタ表からリダイレクトポインタを検索することと、検索されたリダイレクトポインタを実行して、ソフトウェアアプリケーションを立ち上げ、コンテンツを表示することと、検索された固有識別子に対応して、広告データベースから広告を選択することと、選択された広告をコンテンツと共に表示することと、を含んでいる。
【０００９】
幾つかの実施形態では、本発明は、情報にアクセスし表示するためのシステムと方法である。本システムと方法は、メモリ装置から固有識別子とポインタを検索することと、検索された固有識別子とポインタに対応して、ポインタ表からリダイレクトポインタを検索することと、検索されたリダイレクトポインタを実行して、ソフトウェアアプリケーションを立ち上げ、第１コンテンツを表示することと、検索された固有識別子に対応して、第２コンテンツを第１コンテンツと共に表示すること、を含んでいる。
【００１０】
実施形態によっては、メモリ装置が、ＰＣ、ＰＤＡ、携帯電話、ｉＰｏｄ（商標）、ゲーム機、ポケットＰＣなど、に連結されているものもある。更に、メモリ装置は、メモリ装置が指し示すコンテンツに関連性があるテーマに合わせて構成された外観を有する物体を有しているか又はその様な物体に埋め込まれていてもよい。メモリ装置は、１つ又はそれ以上の固有識別子を選択するため、及び／又は、１つ又はそれ以上の固有ポインタを選択するための、１つ又はそれ以上のスイッチを含んでいてもよい。
【００１１】
実施形態によっては、メモリ装置が、（単数又は複数の）固有識別子を第２メモリ装置にエクスポートするため、第２メモリ装置に連鎖状に繋がれ（又は接続され）ているものもある。
【００１２】
実施形態によっては、ソフトウェアアップリケーションが、第２のアプリケーション、ゲーム、ウェブサイト、歌曲など、を立ち上げるようになっているものもある。
【図面の簡単な説明】
【００１３】
【図１】本発明の１つの実施形態により作動するシステムの代表的なブロック図である。
【図２】本発明の或る実施形態による、１つ又はそれ以上の識別子と１つ又はそれ以上のポインタを含んでいる代表的なメモリ装置の概略図である。
【図３】本発明の或る実施形態による、代表的なフロー図である。
【図４】本発明の１つの実施形態による、メモリ装置に埋め込まれるポインタの作成工程を描いている代表的なブロック図である。
【図５】本発明の１つの実施形態による、サーバ内にユーザーを作成するための代表的なプロセスフローを示している。
【図６Ａ】本発明の幾つかの実施形態による、メモリ装置とコンピュータの間の、コンテンツを修正するか又は立ち上げるための２つの単純化したハンドシェーク型プロトコルを描いている。
【図６Ｂ】本発明の幾つかの実施形態による、メモリ装置とコンピュータの間の、コンテンツを修正するか又は立ち上げるための２つの単純化したハンドシェーク型プロトコルを描いている。
【図７】本発明の１つの実施形態による、ポインタを受け取り実行するための、サーバ側の基本的プロセスを示している、代表的なプロセスフロー図である。
【図８】本発明の１つの実施形態による、メモリ装置に埋め込まれたポインタが指し示すコンテンツの検索工程を描いている代表的なブロック図である。
【図９】本発明の１つの実施形態による、ポインタソースを選択するための、更に詳細な代表的プロセスである。
【図１０】本発明の１つの実施形態による、ポインタソース許可を適用するための、更に詳細な代表的プロセスである。
【図１１Ａ】本発明の１つの実施形態による、ポインタ・ペイロード・プロセッサを実行するための代表的なプロセスフローである。
【図１１Ｂ】本発明の１つの実施形態による、ポインタ・ペイロード・プロセッサを実行するための代表的なプロセスフローである。
【図１１Ｃ】本発明の１つの実施形態による、ポインタ・ペイロード・プロセッサを実行するための代表的なプロセスフローである。
【図１２Ａ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｂ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｃ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｄ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｅ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｆ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｇ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｈ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１２Ｉ】本発明の１つの実施形態による、バッチ、グループ許可、オーバーライド、ポインタ、ユーザー、ユーザーグループ、グループ、プロセッサ、及びプロセッサ・プロパティ、の代表的なデータ表を示している。
【図１３】本発明の１つの実施形態による、ポインタ・ペイロード・プロセスを実行するための更に詳細な代表的プロセスである。
【図１４】本発明の１つの実施形態による、広告バナーを選択するための代表的なプロセスを示している。
【図１５Ａ】代表的なバッチ処理を示している。
【図１５Ｂ】代表的なバッチ処理を示している。
【図１６Ａ】オーバーライドを用いた代表的なバッチ処理を示している。
【図１６Ｂ】オーバーライドを用いた代表的なバッチ処理を示している。
【発明を実施するための形態】
【００１４】
１つの実施形態では、本発明のシステムは、コンピュータ装置、例えば、ＰＣ、ポケットＰＣ、携帯電話、ｉＰＯＤ（商標）、ゲーム機など、のポート（例えば、ＵＳＢポート）に挿入される、テーマに合わせて構成されたメモリ装置を含んでいる。メモリ装置は、テーマに合わせて構成され（又は、テーマに合わせて構成された物体の中に設置され）、ハート、電話、キャラクター、動物、玩具、グリーティングカード（又はその構成部分）、ブレスレットやネックレスや指輪の様な着用品、清涼飲料の瓶、サッカーボール、又は旗の様な、多種多様な関心を引く形状又は表現に経済的に設計されている。メモリ装置は、何度も使用でき、友人や仕事仲間の間で回し使いできるように設計されている。
【００１５】
１つの実施形態では、テーマに合わせて構成されたメモリ装置は、付属のドライバと、１つ又はそれ以上の固有識別子（ＵＩＤ）と、１つ又はそれ以上のポインタとがソフトウェアと共にチップ上に埋め込まれた、メモリチップを含んでいる。１つ及び／又はそれ以上のＵＩＤとポインタは、１つ又はそれ以上の特定のウェブサイトを呼び出し、及び／又は、１つ又はそれ以上の特定のアプリケーションを立ち上げるようになっていてもよい。
【００１６】
１つの実施形態では、テーマに合わせて構成されたメモリ装置は、ウェブサイト（例えば、myclickable.com（商標））に関係付けられており、これにより、ユーザー（装置保有者）は、装置の機能性を増やすウィジェット又は同様のインターフェースアプリケーションをダウンロードできるようになる。ウィジェット（又は制御部）は、通常、ユーザーが対話できるようにするユーザーインターフェース、例えば、ウインドウやテキストボックスなどである。
【００１７】
テーマに合わせて構成されたメモリ装置は、ポートに挿入されると、自動的に、ユーザーのウェブブラウザを事前に指定されているウェブサイトへ向ける。１つの実施形態では、事前に指定されているウェブサイトは、バナー広告の様な広告を提供していて、その様な広告が、メモリ装置に埋め込まれているポインタが指し示しているコンテンツと共に表示される。１つの実施形態では、広告は、コンテンツを表示しているフレームで囲まれたウェブページを使って表示される。広告は、ユーザーによって修正することができ、又はスポンサー関係に基づいて提供することができる。
【００１８】
実施形態には、広告の代わりに又は広告に加えて、ソフトウェアアプリケーション又は第２コンテンツを表示できるものもある。１つの実施形態では、広告又はコンテンツのインプレッション数及びクリック数が記憶され、追跡し報告することのできる追加的なユーザーの人口統計的情報を求めるのに利用できるようになる。
【００１９】
１つの実施形態では、デスクトップアプリケーションは、１つ又はそれ以上の固有識別子（ＵＩＤ）と１つ又はそれ以上のポインタを、メモリ装置から読み出す。（単数又は複数の）ＵＩＤ及び／又は（単数又は複数の）ポインタに基づいて、デスクトップアプリケーションは、ポインタデータベース（表）からリダイレクトポインタを検索する。デスクトップアプリケーションは、次に、リダイレクトポインタを実行して、ソフトウェアアプリケーションを立ち上げる。デスクトップアプリケーションは、この時、立ち上げられたソフトウェアアプリケーションの結果を、多数の異なった広告から選択された或る広告と共に表示する。それら広告は、事前に決められたコンテンツを含んでおり、ランダムに表示されてもよいし、異なった判断基準に基づいて表示されてもよい。
【００２０】
図１は、本発明の１つの実施形態により作動するシステム２０のブロック図である。システムは、点線で表わされたプロセッサ２５を含んでいる。プロセッサは、例示的に、各種Ｉ／Ｏモジュール３５、３６、３７、．．．３８と接続／通信プロトコルソフトウェア３３とを備え、更に局所記憶装置３４を備えているＣＰＵ３０とメモリ３１とを有するコンピュータを備えており、この局所記憶装置３４は、メモリ３１に常駐させることもできるようになっている。
【００２１】
局所ＰＣ記憶媒体、取り外し可能記憶媒体、サイバースペース記憶媒体、及び他の記憶媒体、それぞれを表している各種記憶媒体２１、２２、２３、．．．２４は、接続／通信プロトコルソフトウェアの制御の下で作動している。同様に、各種Ｉ／Ｏ装置２６、２７、２８、．．．２９は、Ｉ／Ｏモジュール３５、３６、３７、．．．３８、それぞれに接続されている。
【００２２】
図２は、１つ又はそれ以上の識別子ＵＩ１、．．．ＵＩｍと複数のポインタＰ１、．．．Ｐｎを有するメモリ装置２００の概略図である。メモリ装置は、２０１と２０３で表わされている１つ又はそれ以上のスイッチを含んでいる。（単数又は複数の）スイッチ２０１は、特定のポインタを選択するためにユーザーが操作し、（単数又は複数の）スイッチ２０３は、特定の識別子を選択するためにユーザーが操作する。而して、図２の実施形態では、ユーザーは、１つ又はそれ以上の識別子と１つ又はそれ以上のポインタを選択的に選ぶことができる。図２のメモリ装置２００は、システム、例えば、図１のシステムにアクセスするのに使用してもよい。メモリ装置は、図１のＩ／Ｏ装置２６及び図１のソフトウェア３３の様なリーダによって読み出され、図３のフローに関連付けて説明している様に応答する。
【００２３】
メモリ装置がリーダ又はソフトウェアアプリケーションによって読み出されると、図３の３００に示している様に、ソフトウェアアプリケーションが呼び出される。３０２に示されている様に、メモリ装置内の識別子（ＵＩＤ又はＵＩ）が読み出される。識別子ＵＩＤ（本文書ではＵＩとＵＩＤは置き換え可能に使用されており、同じものを意味する）が既にシステムに記憶されている場合は、当該識別子は３０４で認証される。すると、ブロック３０８で、メモリ装置のポインタ（Ｐ）は、識別子に関係のあるファイルの場所が記憶されているプロファイルアドレスに（検索のために）リンクできるようになる。ブロック３１０で、遠隔データベースから、又は局所的に、プロファイルアドレスが検索される。次いで、３１１に示す様に、プロファイルによってアドレス指定されたファイル／コンテンツがアクセスされ、実行される。
【００２４】
１つの実施形態では、本発明のシステムと方法は、装置に埋め込まれている１つ又はそれ以上のポインタを作成する。図４は、本発明の１つの実施形態による、テーマに合わせて構成されたメモリ装置に埋め込まれることになるポインタを作成する工程、即ち、メモリ装置をプログラムする工程、を描いている代表的なブロック図である。ポインタ作成プロセスは、インターネットにアクセスできるデスクトップアプリケーション４１と、サーバ４２と、接続相手の装置４３を含んでいる。本発明の機能性を実例的に示すために、テーマに合わせて構成されたメモリ装置の一例としてＵＳＢメモリ装置（ドングル）を使用したが、コンピュータメモリ技術の分野の当業者には容易に理解頂けるように、メモリ装置はトングルに限定されず、異なった種類のプラグ式メモリ装置を含めてもよい。
【００２５】
１つ又はそれ以上のポインタをメモリ装置の中に作成し埋め込むための代表的なプロセスを、これより説明する。最初に、有効なカスタムＵＲＬ４４、例えば、単純なウェブページリンクが、ユーザーによって手動で打ち込まれるか、又は、先にサーバによって戻されているがユーザーが目にしていないＵＲＬが取得される。次いで、デスクトップアプリケーションは、サーバからのポインタを要求し、カスタムＵＲＬをパラメータ４４の１つとして渡す。サーバは、次に、カスタムＵＲＬ４５をポインターデータベース４６に加え、デスクトップアプリケーション４１に、当該カスタムＵＲＬへのポインタ４７を戻す。１つの実施形態では、戻されたポインタは、ポインタによって指し示された検索データの提示を修正することができる追加の埋め込みタグを含んでいる。クライアントアプリケーションに戻されたポインタは、そこで、接続されている（ＵＳＢ）テーマに合わせて構成されたメモリ装置４３に記憶される４８。同じポインタは、更に、どの様な数であろうと任意の数のテーマに合わせて構成されたメモリ装置に書き込まれる。
【００２６】
図５は、本発明の１つの実施形態による、サーバの中にユーザーを作成するための代表的なプロセスフローを示している。メモリ装置がリーダに接続され、ＵＩＤとポインタがサーバ５１に渡される。サーバは、ポインタを受け取って（５２）当該ポインタを読み出し、所有者修正可能、パブリック修正可能、セキュア修正可能、読み出し専用、又は、書き込み可能、の様なプリファレンス（５４）があるか否かを確定する（５３）。ポインタが書き込み可能である場合（５５）、ポインタはデスクトップアプリケーションに送られ、ポインタフィールドが書き込まれる（５６）。
【００２７】
１つの実施形態では、メモリ装置がコンピュータ装置のポートに接続されると、ハンドシェークプロトコルの手続きが進められる。図６Ａと図６Ｂは、本発明の幾つかの実施形態による、メモリ装置とコンピュータの間の、コンテンツを修正するか又は立ち上げるための２つの単純化されたハンドシェーク型プロトコルを描いている。図６Ａでは、メモリ装置がコンピュータのポートに接続されると（６１）、装置は自身を登録し（６２）、自身をキーボードとして、又は通信（ＣＯＭＭ）装置として特定する（６３）。例えば、アプリケーションソフトウェアをダウンロードしてもよいし、装置に記憶された特定のリダイレクトポインタが自動的に立ち上がるようになっていてもよい。
【００２８】
次に図６Ｂでは、メモリ装置がコンピュータのポートに接続されると（６１Ｂ）、装置は、コンピュータからの存在信号を待ち（６５）、当該信号を受信すると、装置は、ＵＩＤと（単数又は複数の）ポインタをコンピュータ（デスクトップアプリケーション）に送る（６７）。すると、デスクトップアプリケーションは、ブロック６８に示す様に、リダイレクトポインタを制御する。メモリ装置は、コンピュータから存在信号を受信しなければ、ブロック６９に示す様に、キーボートとして挙動し、コマンドストリングをコンピュータに送って、アプリケーション、例えば、ブラウザが立ち上がるようにする。存在信号については、サーバから、局所コンピュータから、又はメモリ装置自身から問い合わせを行ってもよい。
【００２９】
図７は、本発明の１つの実施形態による、ポインタを受け取り実行するための、基本的なサーバのプロセスを示している、代表的なプロセスフロー図である。ブロック７２で、サーバは、ＵＩＤとポインタを、テーマに合わせて構成されたメモリ装置から受け取る。サーバは、次に、ブロック７４で、ポインタソースをポインタデータベースから選択する。ポインタソースを選択するための更に詳細な代表的プロセスを、図９に示している。次に、サーバは、該当する場合は、ブロック７６で、ポインターデータベースからのポインタソース許可を適用する。本発明の１つの実施形態による、ポインタソース許可を適用するための更に詳細な代表的プロセスを、図１０に示している。ブロック７８で、サーバは、次に、ポインタ・ペイロード・プロセスを実行して、ポインタを実行し、例えば、アプリケーションやゲームを立ち上げ、ウェブサイトを訪ね、歌曲を再生するなどする。本発明の１つの実施形態による、ポインタ・ペイロード・プロセスを実行するための更に詳細な代表的プロセスを、図１３に示している。
【００３０】
図８は、本発明の１つの実施形態による、テーマに合わせて構成された装置に埋め込まれたポインタが指し示すコンテンツの検索工程を描いている代表的なブロック図である。最初に、ユーザーは、テーマに合わせて構成されたメモリ装置８１を、例えば、ウェブブラウザ８２ａを含んでいるＰＣ８２に接続する。これに応え、ＰＣは、ウェブブラウザプログラムを立ち上げ、ウェブブラウザに、事前に決められているサーバ８４（例えば、Myclickable.com（商標）サーバ）に接続するよう指示する。サーバは、メモリ装置から、（単数又は複数の）ＵＩＤと（単数又は複数の）ポインタ８３を取得し、取得した（単数又は複数の）ＵＩＤと（単数又は複数の）ポインタに基づいて、ポインタデータベース８６から（リダイレクト）ＵＲＬ８５を検索する。サーバは、更に、ポインタ８３ａが埋め込まれているかもしれないあらゆるタグを抽出する。ＵＲＬとタグ（仮にその様なタグがあれば）を使用して、サーバは、そこで、リダイレクトポインタ８５を戻す。ＵＩＤ８３ｂに向けられた追跡用（統計学的）データベース８７は、ユーザーとコンテンツ及び／又は広告（表示されるものがある場合）の使用法についての関連情報全てを記憶している。
【００３１】
１つの実施形態では、ウェブベースのコンテンツは、例えば、ブラウザウインドウの一番上のロックされたウェブフレームの中に、横バナー８２ｂを用いて表示される。ウェブバナーコンテンツのソースと追跡は、複数のＵＩＤバッチ（下で説明）及び／又は単一のＵＩＤバッチと関係付けることができる。ウェブバナーコンテンツのタイプとフォーマットには何ら制限は無く、従って、各種の広告サービス、コンテンツ、及び／又はブラウザを介して実行可能なソフトウェアアプリケーションを使用し、それらに従うことができる。
【００３２】
１つの実施形態では、広告は、バナーフレームがユーザーに提供される時に、バナーフレーム文書の中に挿入されるテキストブロックとしてサーバに記憶されている。テキストブロックは、広告をレンダリングするための有効なＨＴＭＬ又はJavaScriptを保有している。広告の例には、リンク付き画像リファレンスと同程度に単純な広告、或いは、javascriptゲームと同程度に複雑な広告が含まれる、広告に関係付けられている媒体（仮にその様な媒体があれば）は、発行元サーバ、何か他の遠隔サーバ、又はエッジキャッシングサーバに記憶させることができる。（単数又は複数の）媒体ＵＲＬは、広告テキストブロックに含まれている。
【００３３】
本発明の幾つかの代表的な実施形態では、広告を選択しコンテンツと共に表示することが開示されているが、本発明は、広告を選択し表示することに限定されない。例えば、別のコンテンツ及び／又はソフトウェアアプリケーションが、第１コンテンツ（又は発行元のウェブサイト情報）と共に表示されるようにしてもよい。
【００３４】
１つの実施形態では、各メモリ装置は、「バッチ単位の」メモリ装置の一部であってもよい。複数のバッチの使用については、図１５Ａ、図１５Ｂ、図１６Ａ、及び図１６Ｂを参照されたい。換言すれば、バッチ１つは、２つ又はそれ以上のメモリ装置をグループ化したものである。バッチＩＤは、英数字の固定ストリングであってもよいが、このバッチＩＤをポインタに埋め込んでもよい。１つの実施形態では、メモリ装置に埋め込まれているＵＩＤは、バッチＩＤとシリアル番号（コード）を備えている。例えば、ａａａａ１、ａａａａ２、及びａａａａ３は、それぞれ、バッチ「ａａａａ」に属するＵＩＤ１、ＵＩＤ２、ＵＩＤ３である。
【００３５】
例えば、バッチは、特定のアフィリエート、ベンダー、及び／又はユーザーに割り当てられたメモリ装置のグループであってもよい。メモリ装置のバッチ１つ１つは、バッチの中のどのメモリ装置が表示又は実行するか、及び、誰がそれらを見る、使用する、又は修正するか、を確定するのに使用されるポインタと使用許可を有している。全てのメモリ装置は、それらが属するバッチについての情報を含んでいるＵＩＤを有している。ユーザーが、メモリ装置を使用した時、バッチ情報が抽出され、当該バッチのポインタを検索するのに使用される。ポインタは、ユーザーが受け取ることになるコンテンツ及び／又は挙動を指し示す。
【００３６】
例えば、McDonald（商標）が、１ロット一万個のメモリ装置を買うとしよう。当該ロットの各装置は、同じバッチのＩＤがそのＵＩＤに書き込まれることによって、当該バッチに割り当てられることになる。McDonald（商標）は、そこで、バッチポインタが彼らのウェブサイトのＵＲＬを指し示すように、バッチポインタを構成すればよい。ユーザーが、それらメモリ装置の１つを使用した時、当該メモリ装置のＵＩＤのバッチ情報が使用され、McDonaldのウェブサイトの特定のページを指し示すバッチポインタが検索される。
【００３７】
１つの実施形態では、所与のバッチ内の異なるメモリ装置は、異なるコンテンツ及び／又は挙動を指し示すことができる。これは、「オーバーライド」オペレーションを用いて達成される。オーバーライドは、代わりのポインタを、或るバッチの中の１つ又はそれ以上のメモリ装置に割り当てることである。
【００３８】
１つの実施形態では、「オーバーライド」許可は、或るバッチの或るサブセットの特別な取り扱いを行えるようにする。例えば、バッチＡＡＡに１０個の固有のメモリ装置が含まれている場合、コンテンツ作成者は、バッチＡＡＡの内の５個の固有バッチを変更してもよい。オーバーライド許可は、バッチＡＡＡの中のこれら５つの特定のメモリ装置の独自の挙動を許す。例えば、５万個のメモリ装置が大規模小売企業Ｘ社に売ることができ、即ち、バッチＡＡＡは５万個のユニットを含んでいるものとする。ここで、Ｘ社は、それらユニットの内の５個を消費者に売り、消費者は、自分のメモリ装置を修正して、自身のMySpace（商標）ウェブページをブラウザ上に立ち上げたいと所望する。そこで、消費者は、本発明により、ソフトウェアを使用し、既に埋め込まれているＸ社のポインタが、オーバーライド許可を通して、ユーザーのMySpace（商標）ウェブページに向くように修正する。この事例では、発行元のウェブサイトは、バッチ所有者（消費者）とオーバーライド所有者（Ｘ社）の双方について、追跡データを提供することができる。
【００３９】
１つの例では、消費者は、テーマに合わせて構成されたメモリ装置を、ウェブサイト又は小売業者から購入する。ユーザーは、発行元のウェブサイト（例えば、myclickable.com（商標））にアクセスして、メモリ装置が、ユーザーが選択した好みのウェブサイト又は特定のウェブページを指し示すように、装置用のポインタを作成する。ユーザーが、埋め込まれたポインタがアクティブになっているメモリ装置を差し込むと、事前に選択されたウェブページが現れる。１つの実施形態では、事前に選択されたウェブページは、発行元のサーバによって提供されているバナー広告を含んでいる。
【００４０】
別の例として、Nike（商標）が、サッカーというテーマに合わせて構成されたメモリ装置を幾つか購入するとしよう。各Nike（商標）メモリ装置は、ユーザーを、特別なNike（商標）サッカー広告バナーがユーザー画面に表示されているNike（商標）サッカーサイトに連れて行くように事前に設定されている。Nike（商標）メモリ装置は、Nike（商標）の店舗で商品を買ったら無料でもらえるようにしてもよい。ユーザーは、装置に埋め込まれているポインタをプログラムし直すことにより新たな好みのウェブページを設定し、それを友人にあげることもできる。ユーザーがサッカーというテーマに合わせて構成されたメモリ装置をコンピュータのポートに差し込んだ時、新たな好みのウェブページには、なお、Nike（商標）バナー広告のフレームが付いている。表示されたバナー広告は、ユーザーがブラウザで別のウェブページにアクセスすると消える。
【００４１】
図９は、本発明の１つの実施形態による、ポインタを検索するための代表的なプロセスフローを示している。ソフトウェアアプリケーション又はメモリ装置からの遠隔要求をサーバが受信すると（９０２）、サーバは、当該要求にＵＩＤが含まれているか否かをチェックする（９０４）。当該要求にＵＩＤが含まれていた場合、サーバはオーバーライドデータベース（表）９０８をチェックし（９０６）、データベースの中にこのＵＩＤに関するオーバーライド記録があるか否かを確認する（９１０）。データベースの中にこのＵＩＤに関するオーバーライド記録が有った場合、サーバは、当該オーバーライド記録を検索し、関連するオーバーライド権をメモリ装置に関係付け、オーバーライドポインタとオーバーライドデータベースの中の対応する許可に基づいてポインタを生成し、当該ポインタ及び関係付けられた許可を使用する（９１２）。
【００４２】
データベースにオーバーライド記録が無かった場合、サーバはバッチデータベース（表）９１６をチェックし（９１４）、バッチデータベースにバッチ記録があるか否かを確認する（９１８）。バッチデータベースにバッチ記録が有った場合、サーバは、ブロック９２０に示す様に、バッチポインタ及び対応する許可を使用して、ポインタを生成するが、無かった場合は、エラーメッセージが送られる（９２２）。
【００４３】
１つの実施形態では、本発明の方法とシステムはグループを含んでいる。グループは、ユーザーが、誰がユーザーのメモリ装置を見る／使用する／修正することができるかを制御するための１つのやり方である。ユーザーは、多数のグループに属することができ、彼ら自身のメモリ装置毎にグループを作成することができる。例えば、玩具会社が、販売促進ページを指し示す１万個のメモリ装置を買うと仮定しよう。玩具会社は、そこで、販売促進ページを訪れることによって加入できる「会員専用」グループを作成する。グループに加入しなかったユーザーは、販売促進ページを見ることになる。グループに加入したユーザーは、別のウェブページにリダイレクトされる。別の例では、ユーザーはスライドショーを作成し、ユーザーはこのスライドショーが友人という選択グループの中だけで共有されるのを望んでいる。而して、ユーザーは、グループを作成し、友人という選択グループをユーザーのグループ単位に追加する。そうして、ユーザーがメモリ装置を配ると、ユーザーのグループに加えられたユーザーだけがスライドショーを閲覧できるようになる。
【００４４】
図１０は、本発明の１つの実施形態による、ポインタ許可の代表的プロセスフローである。サーバは、バッチ表（１００４）及び／又はオーバーライド表（１００２）から許可のタイプをチェックする（１００６）。アクセス権に何ら制限が課されていない場合、サーバは、ポインタデータベースの中の（単数又は複数の）ポインタに対する閲覧権と編集権を提供する（１００８）。アクセス権に制限が課されている場合、サーバは、要求の中に付加的なＵＩＤ変数があるか否かをチェックして確認する（１０１２）。付加的なＵＩＤ変数が無かった場合、サーバは、制限付きアクセス許可を使用して、バッチ表とオーバーライド表をチェックする（１０１４）。
【００４５】
要求の中に付加的なＵＩＤ変数が有った場合、サーバは、付加的なＵＩＤが或る所有者に属しているか否かを判定する（１０２０）。属していた場合、サーバは、ポインタデータベースの（単数又は複数の）ポインタに対する閲覧権と編集権を提供する（１０２２）。要求の中に付加的なＵＩＤ変数が無かった場合、サーバは、メモリ装置が或るグループによって制御されているか否かをチェックして確認する（１０２８）。メモリ装置が或るグループによって制御されていなかった場合、サーバは、制限付き許可を使用して、バッチ表とオーバーライド表をチェックする（１０３０）。メモリ装置が或るグループによって制御されていた場合、サーバは、ユーザーが当該グループに含まれているか否かをチェックして確認する（１０３６）。ユーザーが、メモリ装置を制御しているグループに含まれていた場合、サーバはグループ許可表に問い合わせを行い（１０３８）、許可権を判定する。メモリ装置のユーザーが、メモリ装置を制御しているグループに含まれていなかった場合、サーバは、制限付きアクセス許可を使用してバッチ表とオーバーライド表をチェックする（１０４０）。
【００４６】
図１１Ａ、図１１Ｂ、図１１Ｃは、本発明の１つの実施形態でによる、ポインタ・ペイロード・プロセッサを実行するための代表的なプロセスフローである。図１１Ａは、コンテンツラッパーが無い場合の代表的なプロセスフローを描いている。
【００４７】
図１１Ｂは、コンテンツラッパーが有る場合の代表的なプロセスフローを示しており、図１１Ｃは、ウィジェットプロセッサが有る場合の代表的なプロセスフローを示している。１つの実施形態では、ポインタ１つ１つは、何らかのデータと何らかの挙動から構成されている。もっとも単純な事例では、ポインタはウェブサイト上のページである。データは、ページのＵＲＬであり、挙動は、サーバを当該ＵＲＬへリダイレクトすることである。プロセッサは、ポインタの挙動部分である。
【００４８】
図１２Ａから図１２Ｉは、本発明の１つの実施形態による、代表的なデータ表を、バッチ（１２Ａ）、グループ許可（１２Ｂ）、オーバーライド（１２Ｃ）、ポインタ（１２Ｄ）、ユーザー（１２Ｅ）、ユーザーグループ（１２Ｆ）、グループ（１２Ｇ）、プロセッサ（１２Ｈ）、及びプロセッサ属性（１２Ｉ）、それぞれについて示している。
【００４９】
１つの実施形態では、広告バナーのコンテンツは、付加的なＵＩＤ又はバッチ選択が適用されていない、ローテーション式広告プール（例えば、サーバ内）から入ってくる。図１３は、本発明の１つの実施形態による、広告の選択を示している代表的なブロック図である。この例に示す様に、（単数又は複数の）ＵＩＤと（単数又は複数の）ポインタ１３０２は、広告を選択するという目的のためサーバに無視される。この実施形態では、広告は、ＵＩＤとポインタ以外の因子に基づいて、広告プール／データベース１３０６から選択される（１３０４）。選択された広告（図示せず）にはテキストを加えてもよく、選択された広告１３０８は、その後、ブラウザ１３１０内に表示される。１つの実施形態では、ブラウザ内に表示されている広告は、バナーフレーム１３１２と、コンテンツフレーム１３１４を含んでいてもよい。ここでは、広告は、テーマ、例えば、スポーツ、政治、映画ジャンルなど、に基づいてランダムに選択されてもよい。広告は、静的でも動的でもよい。
【００５０】
１つの実施形態では、広告バナーは、図１４に示す様に、バッチ及び／又はＵＩＤに基づいて選択される。図示の様に、広告が、テーマに合わせて構成されたメモリ装置に埋め込まれているＵＩＤ１４０２と関係付けられている場合（１４０３）、適切な広告が、広告データベース１４１８から選択される。選択された広告１４０４は、次に、ブラウザ１４０６内にコンテンツと共に表示される。例えば、広告は、ポインタによってアドレス指定されたコンテンツ又はポインタによって実行されたアプリケーションに関係していてもよい。
【００５１】
広告が、テーマに合わせて構成されたメモリ装置の特定された或るバッチと関係付けられている場合（１４１２）、適切な広告が、広告データベースから選択される。選択された広告１４１４は、次に、図１４に示す様に、ブラウザ１４０６内にコンテンツと共に表示される。例えば、バッチをベースにした広告は、Amazon.com（商標）やTarget（商標）の様な小売業者のギフトドングルであってもよい。この事例では、ＵＩＤは各ユーザーに固有であってもよいが、ＵＩＤのバッチ全体が１つの特定のエンティティ、即ち、会社や小売業者に関係していてもよい。１つの実施形態では、ブラウザ内に表示されている広告は、バナーフレーム１４０８とコンテンツフレーム１４１０を含んでいてもよい。
【００５２】
１つの実施形態では、広告は、装置が要求しているコンテンツのタイプ（例えば、コンテンツフレームのＵＲＬ）に基づいて、又は装置が使用するデスクトップウィジェットのタイプによって、又は装置自体の物理的特性によって、的が絞られる。１つの実施形態では、広告は、「広告テキストブロック」を含んでおり、ＵＩＤ又はバッチで、それに関係付けられているテキストがブロックされた状態になっている場合、広告の的絞りは適用されない。
【００５３】
１つの実施形態では、広告の代わりに、又は広告に加えて、第２のコンテンツ及び／又はソフトウェアアプリケーションが表示される。
【００５４】
１つの実施形態では、サーバは、テーマに合わせて構成されたメモリ装置の、装置、ウィジェット、及びコンテンツによる巡回数、装置、ウィジェット、及びコンテンツの固有ユーザーの数、及びビジター、固有ビジター、及び閲覧の様なウェブ利用の標準的な数的指標、の様な異なる数的指標を追跡する。
【００５５】
当業者には理解頂ける様に、上に説明した本発明の例示した実施形態及びその他の実施形態には、本発明の広範な発明の範囲から逸脱すること無く、様々な修正を加えることができる。従って、本発明は、開示されている具体的な実施形態又は配置に限定されず、むしろ、特許請求の範囲によって定義されている本発明の範囲内に入るあらゆる変更、改造、又は修正を、対象として範囲に含めるものとする。
【図１】
2010516005.tif 000003
【図２】
2010516005.tif 000004
【図３】
2010516005.tif 000005
【図４】
2010516005.tif 000006
【図５】
2010516005.tif 000007
【図６Ａ】
2010516005.tif 000008
【図６Ｂ】
2010516005.tif 000009
【図７】
2010516005.tif 000010
【図８】
2010516005.tif 000011
【図９】
2010516005.tif 000012
【図１０】
2010516005.tif 000013
【図１１Ａ】
2010516005.tif 000014
【図１１Ｂ】
2010516005.tif 000015
【図１１Ｃ】
2010516005.tif 000016
【図１２Ａ】
2010516005.tif 000017
【図１２Ｂ】
2010516005.tif 000018
【図１２Ｃ】
2010516005.tif 000019
【図１２Ｄ】
2010516005.tif 000020
【図１２Ｅ】
2010516005.tif 000021
【図１２Ｆ】
2010516005.tif 000022
【図１２Ｇ】
2010516005.tif 000023
【図１２Ｈ】
2010516005.tif 000024
【図１２Ｉ】
2010516005.tif 000025
【図１３】
2010516005.tif 000026
【図１４】
2010516005.tif 000027
【図１５Ａ】
2010516005.tif 000028
【図１５Ｂ】
2010516005.tif 000029
【図１６Ａ−Ｂ】
2010516005.tif 000030
【国際調査報告】
2010516005.tif 000031